【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
（ｉ）呼吸ガス流を受け入れるように構成される入口端、
（ii）前記入口端に流体結合される出口端、及び
（iii）前記入口端と前記出口端との間に配される中間部
を有する本体であり、前記中間部は開口面に設けられるリリーフ開口を規定する縁を有する、本体、並びに
前記本体に結合される遮断部材
を有する患者インタフェース装置のための流体結合導管において、前記遮断部材は、前記リリーフ開口に実質的に配され、前記遮断部材と前記縁との間に多数の隙間が形成され、前記縁は、前記開口面を横断して延在している多数の隆起部を有する、
ことを特徴とする患者インタフェースのための流体結合導管。
【請求項２】
前記遮断部材は、前記縁と係合するように各々構成される複数の突起部を有する、請求項１に記載の流体結合導管。
【請求項３】
前記複数の突起部は、第１の突起部、第２の突起部、第３の突起部及び第４の突起部を有し、前記第１の突起部は、前記第２の突起部と向かい合い、前記第３の突起部は、前記第４の突起部と向かい合い、前記第１の突起部及び前記第２の突起部の各々は、前記第３の突起部と前記第４の突起部との間に配されている、請求項２に記載の流体結合導管。
【請求項４】
複数の前記隆起部は、Ｖ字形状の部材、矩形形状の部材及びその両側がＵ字形状部により縁取られる部材から成る集合から選択される部材を有するように、前記縁は輪郭形成される、請求項１に記載の流体結合導管。
【請求項５】
複数の前記隆起部は、Ｖ字形状の部材を有し、前記複数の隆起部はさらに、一対の向かい合う支持隆起部を有し、前記支持隆起部の各々は、一対の間隔を空けて外側に延在している端部と、前記外側に延在している端部を接続する遠位端とを有し、前記Ｖ字形状の部材は、前記支持隆起部の間において前記縁の両側に配される、請求項４に記載の流体結合導管。
【請求項６】
前記遮断部材は、前記本体に対して内側に延在しているリブを有する、請求項１に記載の流体結合導管。
【請求項７】
前記遮断部材は、略平坦な部分及び前記略平坦な部分に隣接する窪み部分を持ち、前記リブは、前記窪み部分から内側に延在している、請求項６に記載の流体結合導管。
【請求項８】
前記リブは、前記窪み部分から内側のある方向に延在する、前記流体結合導管はさらに、前記本体上に配されるフラッパ構成要素を有する、前記フラッパ構成要素は、解放位置と閉鎖位置との間を移動するように構成される、前記解放位置において、前記フラッパ構成要素は、前記方向と略平行である、並びに前記解放位置から前記閉鎖位置に移動する前記フラッパ構成要素に応じて、前記フラッパ構成要素は、前記リブに対して旋回する、請求項７に記載の流体結合導管。
【請求項９】
前記遮断部材は、略平坦な部分及び前記略平坦な部分に隣接する窪み部分を持つ、前記流体結合導管はさらに、前記本体上に配されるフラッパ構成要素を有する、前記フラッパ構成要素は、解放位置と閉鎖位置との間を移動するように構成される、前記解放位置において、前記フラッパ構成要素は、前記窪み部分と係合する、並びに前記解放位置から前記閉鎖位置に移動する前記フラッパ構成要素に応じて、前記フラッパ構成要素は、前記窪み部分から離れるように動く、請求項１に記載の流体結合導管。
【請求項１０】
前記遮断部材は、スナップ式の機構により前記本体に結合される、請求項１に記載の流体結合導管。
【請求項１１】
前記本体の中間部は、前記リリーフ開口の反対側及び遠位側に配される大気ポートを持つ、請求項１に記載の流体結合導管。
【請求項１２】
患者インタフェース装置は、
（ａ）クッション、
（ｂ）フレーム、
（ｃ）流体結合導管
を有し、前記クッションは、前記フレームに結合され、前記フレームは、前記クッションと流体連通するオリフィスを持ち、前記流体結合導管は、
（１）呼吸ガス流を受け入れるように構成される入口端、
（２）前記入口端に流体結合される出口端、及び
（３）前記入口端と前記出口端との間に置かれる中間部
を有する本体であり、前記中間部は、開口面に設けられるリリーフ開口を規定する縁を有する、本体、並びに
前記本体に結合される遮蔽部材
を有する患者インタフェース装置において、
前記遮蔽部材は、前記リリーフ開口に実質的に配され、前記遮断部材と前記縁との間に多数の隙間が形成され、前記縁は、前記開口面を横断して延在している多数の隆起部を有し、前記出口端は、前記呼吸ガス流を前記クッションに送るために、前記フレームの前記オリフィスに流体結合されるように構成される、ことを特徴とする患者インタフェース装置。
【請求項１３】
前記遮断部材は、前記縁と係合するように各々構成される複数の突起部を有し、前記複数の突起部は、第１の突起部、第２の突起部、第３の突起部及び第４の突起部を有し、前記第１の突起部は、前記第２の突起部と向かい合い、前記第３の突起部は、前記第４の突起部と向かい合い、前記第１の突起部及び前記第２の突起部の各々は、前記第３の突起部と前記第４の突起部との間に配されている、請求項１２に記載の患者インタフェース装置。
【請求項１４】
複数の前記隆起部は、Ｖ字形状の部材、矩形形状の部材及びその両側がＵ字形状部により縁取られる部材から成る集合から選択される部材を有するように、前記縁は輪郭形成される、請求項１２に記載の患者インタフェース装置。
【請求項１５】
複数の前記隆起部は、Ｖ字形状の部材を有し、前記複数の隆起部はさらに、一対の向かい合う支持隆起部を有し、前記支持隆起部の各々は、一対の間隔を空けて外側に延在している端部と、前記外側に延在している端部を接続する遠位端とを有し、前記Ｖ字形状の部材は、前記支持隆起部の間において前記縁の両側に配される、請求項１４に記載の患者インタフェース装置。
【請求項１６】
前記遮断部材は、前記本体に対して内側に延在しているリブを有する、前記遮断部材は、略平坦な部分及び前記略平坦な部分に隣接する窪み部分を持つ、前記リブは、前記窪み部分から内側に延在している、請求項１２に記載の患者インタフェース装置。
【請求項１７】
前記リブは、前記窪み部分から内側のある方向に延在する、前記流体結合導管はさらに、前記本体上に配されるフラッパ構成要素を有し、前記フラッパ構成要素は、解放位置と閉鎖位置との間を移動するように構成され、前記解放位置において、前記フラッパ構成要素は、前記方向と略平行であり、並びに前記解放位置から前記閉鎖位置に移動する前記フラッパ構成要素に応じて、前記フラッパ構成要素は、前記リブに対して旋回する、請求項１６に記載の患者インタフェース装置。
【請求項１８】
前記遮断部材は、略平坦な部分及び前記略平坦な部分に隣接する窪み部分を持つ、前記流体結合導管はさらに、前記本体上に配されるフラッパ構成要素を有する、前記フラッパ構成要素は、解放位置と閉鎖位置との間を移動するように構成される、前記解放位置において、前記フラッパ構成要素は、前記窪み部分と係合する、並びに前記解放位置から前記閉鎖位置に移動する前記フラッパ構成要素に応じて、前記フラッパ構成要素は、前記窪み部分から離れるように動く、請求項１２に記載の患者インタフェース装置。
【請求項１９】
前記遮断部材は、スナップ式の機構により前記本体に結合される、請求項１２に記載の患者インタフェース装置。
【請求項２０】
前記本体の中間部は、前記リリーフ開口の反対側及び遠位側に配される大気ポートを持つ、請求項１２に記載の患者インタフェース装置。